(57)【特許請求の範囲】
【請求項１】
ホストコンピュータと、電源ライン（Ｖｃｃ）、第１の信号ライン（Ｄ＋）、第２の信号ライン（Ｄ−）およびグランドライン（ＧＮＤ）を有するＵＳＢ規格のインターフェースを介して前記ホストコンピュータに接続された入力装置と、前記ホストコンピュータを起動させる主電源と、前記主電源がオフ状態にあるときに前記入力装置に電力を供給するサブ電源とが設けられており、
前記入力装置には、所定の操作がなされたときに前記第１の信号ライン（Ｄ＋）と第２の信号ライン（Ｄ−）に所定の信号を与える信号発生手段が設けられており、前記ホストコンピュータには、前記主電源がオフ状態にあり且つ前記信号発生手段から前記第１の信号ライン（Ｄ＋）と第２の信号ライン（Ｄ−）に対しともにハイレベル（Ｈ）となる信号が与えられたときに、前記主電源を立ち上げ且つ前記ホストコンピュータを起動させるウエークアップ手段が設けられていることを特徴とするコンピュータの電源立ち上げ装置。
【請求項２】
前記信号発生手段から前記第１の信号ライン（Ｄ＋）と第２の信号ライン（Ｄ−）に与えられる前記所定の信号は、ＵＳＢ規格のデータ転送よりもきわめて長いパルス幅の信号である請求項１記載のコンピュータの電源立ち上げ装置。
【請求項３】
前記ウエークアップ手段には、前記第１の信号ライン（Ｄ＋）がハイレベル（Ｈ）であるか否かを検出する第１の比較手段と、前記第２の信号ライン（Ｄ−）がハイレベル（Ｈ）であるか否かを検出する第２の比較手段と、前記第１の比較手段と第２の比較手段との論理和をとるＡＮＤ回路とが設けられており、前記論理和がハイレベル（Ｈ）となったときに前記主電源が立ち上げられる請求項１記載のコンピュータの電源立ち上げ装置。
【請求項４】
前記入力装置が操作されていないときに、前記信号発生手段から、前記第１の信号ライン（Ｄ＋）と第２の信号ライン（Ｄ−）にともにハイレベル（Ｈ）の信号が与え続けられ、前記入力装置で所定の操作が行われたときに、前記第１の信号ライン（Ｄ＋）と第２の信号ライン（Ｄ−）がともにロウレベル（Ｌ）とされ、このときに主電源がオフとなる請求項１ないし３のいずれかに記載のコンピュータの電源立ち上げ装置。
【請求項５】
前記インターフェース上には、主電源がオン状態にあるときに前記ホストコンピュータの信号ラインと前記入力装置の信号ラインとを接続し、主電源がオフ状態にあるときに前記ウエークアップ手段と入力装置の信号ラインとの接続に切り換える切換え手段が設けられており、前記主電源が立ち上がることにより、前記切換え手段によって、前記ホストコンピュータの信号ラインと前記入力装置の信号ラインとが接続される請求項１ないし４のいずれかに記載のコンピュータの電源立ち上げ装置。
【発明の詳細な説明】
【０００１】
【発明の属する技術分野】
本発明は、例えばＵＳＢインターフェースを備えたホストコンピュータのパワーオン機能に係わり、特にホストコンピュータの主電源がパワーオフ状態にあるときに、キーボードなどの入力装置を操作することによって前記ホストコンピュータを起動できるようにしたコンピュータの電源立ち上げ装置に関する。
【０００２】
【従来の技術】
従来のコンピュータには、ホストコンピュータの未使用時間が長く続く場合の電力消費の無駄を省き、節電効率を上げるためのソフトウエアが常駐プログラムとして内蔵されている。
【０００３】
このプログラムでは、キーボードなどの入力装置が最後に操作された後、所定時間内に次の操作が行われない場合に、ホストコンピュータの電力モードをサスペンドモードに移行させる処理が行なわれる。このサスペンドモードでは、例えばＣＰＵのクロック速度を落としたり、ハードディスクやフロッピーディスクのドライブモータを止めたり、ディスプレイの画面表示を切ることによって、ホストコンピュータに供給される消費電流を低電力状態に設定する。
【０００４】
このサスペンドモード時において、キーボードなどの入力装置が操作されると、その情報が起動信号としてホストコンピュータに伝えられる。ホストコンピュータでは、前記起動信号が入力されると、ＣＰＵのクロック速度を元に戻したり、ハードディスクやフロッピーディスクのドライブモータを起動させたり、ディスプレイの画面を再表示する。これにより、ホストコンピュータは、サスペンドモード前の状態に復帰させられる。
【０００５】
一方、パソコンの周辺インターフェースとしては、長い間シリアル・ポート（ＲＳ２３２−Ｃ）とパラレル・ポート（セントロニクス）が主に使用されていたが、いずれも転送速度の限界が低いことや、１ポートに１デバイスしか接続できないため複数のデバイスを接続するにはポート数が増えてしまうという難点があった。またそれ以外にもキーボード、マウス、ディスプレイなどは個別のポートをもっており、パソコンの背面は多種多様なコネクタで埋め尽くされるという欠点を有していた。
【０００６】
そこで、これらのインターフェースを統合し、１個のコネクタにさまざまな周辺機器を接続できるようにしたUniversal Serial Bus（以下、ＵＳＢという）が提案され、次世代の標準周辺インターフェースとして急速に注目されるようになっている。
【０００７】
【発明が解決しようとする課題】
しかし、上記従来のコンピュータにおけるサスペンド及びその復帰機能では、ホストコンピュータの主電源がオン状態にある場合を前提としたものであるため、主電源がオフ状態にある場合に、上記ソフトウエアではホストコンピュータを立ち上げることができないという問題がある。
【０００８】
また、上記ＵＳＢインターフェースで接続されたコンピュータにおいては、ＵＳＢが本来有しない機能として、キーボード上に配列されているキーを操作するなどの操作入力によりホストコンピュータを立ち上げる、いわゆるパワーオンキーを設けることにより、コンピュータの付加価値を高めることが要望されている。
【０００９】
本発明は上記従来の課題を解決するためのものであり、ＵＳＢインターフェースを備えたホストコンピュータの主電源の電源スイッチがオフ状態にある場合に、入力装置を操作することにより、主電源を立ち上げホストコンピュータを起動できるようにしたコンピュータの電源立ち上げ装置を提供することを目的としている。
【００１０】
【課題を解決するための手段】
本発明の電源立ち上げ装置は、ホストコンピュータと、電源ライン（Ｖｃｃ）、第１の信号ライン（Ｄ＋）、第２の信号ライン（Ｄ−）およびグランドライン（ＧＮＤ）を有するＵＳＢ規格のインターフェースを介して前記ホストコンピュータに接続された入力装置と、前記ホストコンピュータを起動させる主電源と、前記主電源がオフ状態にあるときに前記入力装置に電力を供給するサブ電源とが設けられており、
前記入力装置には、所定の操作がなされたときに前記第１の信号ライン（Ｄ＋）と第２の信号ライン（Ｄ−）に所定の信号を与える信号発生手段が設けられており、前記ホストコンピュータには、前記主電源がオフ状態にあり且つ前記信号発生手段から前記第１の信号ライン（Ｄ＋）と第２の信号ライン（Ｄ−）に対しともにハイレベル（Ｈ）となる信号が与えられたときに、前記主電源を立ち上げ且つ前記ホストコンピュータを起動させるウエークアップ手段が設けられていることを特徴とするものである。
【００１１】
本発明では、ホストコンピュータの主電源（メインパワー）の電源スイッチが落ちている状態（オフ状態）において、キーボードなどが操作されると、主電源が立ち上げられ、ホストコンピュータが起動する。
【００１２】
このような動作を可能とするため、キーボードなどの入力装置には、ホストコンピュータに設けられたサブ電源（バッテリー）からの電力がインターフェースを介して供給されている。したがって、ホストコンピュータの主電源がオフ状態にある場合は通常のサスペンドモード同様の低電力状態に設定されている。
【００１３】
入力装置で所定の操作が行われると、主電源が立ち上げられるが、このときの操作はキーボード上に設けた専用のパワーオンキーで行なってもよいし、また複数のキーの組み合せを操作することによって行ってもよい。あるいはマウスなどのスイッチを所定時間、あるいは所定回数操作することにより行ってもよい。
【００１４】
上記において、前記インターフェース上には、主電源がオン状態にあるときに前記ホストコンピュータの信号ラインと前記入力装置の信号ラインとを接続し、主電源がオフ状態にあるときに前記ウエークアップ手段と入力装置の信号ラインとの接続に切り換える切換え手段が設けられており、
前記主電源がオフ状態において、前記入力装置の所定の操作がなされたときに、前記ウエークアップ手段により生成された起動信号が主電源に供給されて前記主電源が立ち上げられるとともに、前記主電源が立ち上がることにより前記切換え手段が前記ホストコンピュータの信号ラインと前記入力装置の信号ラインとを結ぶ接続に切り換えられるものが好ましい。
上記切換え手段は、例えばリレーであってもよいし、または論理回路で構成されてもよい。
【００１５】
本発明では、主電源がオフ状態のときには、ウエークアップ手段とキーボードなどの入力手段が接続されており、例えばキーボードの所定のキーを操作することなどにより、ウエークアップ手段により主電源が立ち上げられホストコンピュータが起動されるとともに、ホストコンピュータとキーボードなどの入力装置との間の信号ラインが接続される。よって、ホストコンピュータの起動後は、キーボードなどの操作入力信号をホストコンピュータに送信することができる。
【００１８】
このように第１の信号ラインと第２の信号ラインが共にＨとなる通信モードは、ＵＳＢ規格の通常の動作モードには存在しない組み合わせであるため、各ラインの信号が共にＨのときにウエークアップ手段が起動するように構成すると、ＵＳＢインターフェースを用いた通常の通信に支障が生じない。また、ＵＳＢインターフェースでは、通信モードが切り換えられるときに、第１の信号ラインと第２の信号ラインが共に瞬時にＨになることが有り得るが、第１の信号ラインと第２の信号ラインが共にＨとなる時間が所定時間（詳しくはＵＳＢ規格での信号の転送レートよりも長い時間）以上となったときにウエークアップ手段を起動するようにすると、ＵＳＢインターフェースによる通信切換え時との混同を防止できる。
【００１９】
さらに、主電源がオンで、入力装置からの入力を中断しているときに、第１の信号ラインと第２の信号ラインを共にＨにしておき、入力装置の所定の操作を行ったときに、第１の信号ラインと第２の信号ラインが共に所定時間Ｌとなることにより、主電源をダウンさせることも可能である。
【００２０】
【発明の実施の形態】
以下、本発明について図面を参照して説明する。
図１は、本発明におけるコンピュータの電源立ち上げ装置の実施の一形態を示す構成図である。
図１では、Ｉ−Ｉ線を挟んで図示左端がホストコンピュータ１（以下、ホスト１という）であり、図示右端側の符号１１が入力装置の一例としてキーボードを示している。
【００２１】
図１に示すように、ホスト１の内部には、ＵＳＢ（Universal Serial Bus）インターフェース用のＬＳＩとしてＵＳＢチップ２、ウェークアップ手段３、切換え手段４、主電源５およびサブ電源６が設けられている。前記ＵＳＢチップ２には、ＵＳＢインターフェース仕様に対応する電源入力端子Ｖｃｃ、グランド端子ＧＮＤ、第１の信号ラインＤ＋および第２の信号ラインＤ−が設けられている。なお、図１ではＵＳＢインターフェース上、特に重要な端子のみを示しており、ＵＳＢチップ２に設けられているその他の端子は省略されている。また、図１では主電源５の＋端子とＧＮＤ端子の間に発生する出力電圧をＥ、サブ電源６のＯＵＴ端子とＧＮＤ端子との間に発生する出力電圧をＶで示している。
【００２２】
ＵＳＢチップ２の電源入力端子Ｖｃｃは、前記主電源５の＋端子に接続され、ＧＮＤ端子はグランドラインに接地されている。すなわち、ＵＳＢチップ２は、主電源５から電力の供給を受けて駆動されている。またＵＳＢチップ２は、ホスト１内のＣＰＵとローカルバスによって接続され、このＣＰＵによって制御されている。
【００２３】
前記ウェークアップ手段３には、ＯＰアンプなどから構成された第１の比較手段３Ａおよび第２の比較手段３Ｂが設けられている。前記第１，第２の比較手段３Ａ，３Ｂの第１の入力端子３Ａ１および３Ｂ１は、所定の抵抗を介して接地されている。また第１および第２の比較手段３Ａおよび３Ｂの第２の入力端子３Ａ２および３Ｂ２には、それぞれ基準電圧７（例えば、１．５ボルト）が印加されている。そして、第１の比較手段３Ａおよび第２の比較手段３Ｂの出力端子３Ａ３および３Ｂ３は、ＡＮＤ回路８の入力端子８ａ，８ｂにそれぞれ接続されている。さらにＡＮＤ回路８の出力端子８ｃは、主電源５のパワーオン端子５ａに接続されている。
【００２４】
一方、キーボード１１にも、ＵＳＢチップ１２が設けられている。このＵＳＢチップ１２は、例えばキーボード１１内に設けられた制御手段（または信号発生手段）である８ビット・マイクロコントローラ（図示せず）で制御されている。そして、ホスト１側のＵＳＢチップ２とキーボード１１側のＵＳＢチップ１２とは、ＵＳＢケーブル９によって接続されている。
【００２５】
前記切換え手段４は、例えばリレーなどから構成され、ホスト１に設けられたＵＳＢケーブル９用の接続コネクタ端子１ａとＵＳＢチップ２との間に設けられている。図１に示される切換え手段４は、第１のリレー接点４Ａおよび第２のリレー接点４Ｂを有している。第１のリレー接点４Ａには、ホスト１側に２つの接続端子４Ａ１，４Ａ２が設けられ、キーボード１１側に１つの接続端子４Ａ３が設けられている。同様に第２のリレー接点４Ｂには、ホスト１側に２つの接続端子４Ｂ１，４Ｂ２が設けられ、キーボード１１側に１つの接続端子４Ｂ３が設けられている。
【００２６】
前記第１および第２のリレー接点４Ａおよび４Ｂの接続端子４Ａ１および４Ｂ１は、前記第１の比較手段３Ａの入力端子３Ａ１および第２の比較手段３Ｂの入力端子３Ｂ１にそれぞれ接続されている。また第１のリレー接点４Ａの接続端子４Ａ２は、前記ＵＳＢチップ２の第１の信号ラインＤ＋に接続され、第２のリレー接点４Ｂの接続端子４Ｂ２は、ＵＳＢチップ２の第２の信号ラインＤ−に接続されている。さらに第１のリレー接点４Ａの接続端子４Ａ３および第２のリレー接点４Ｂの接続端子４Ｂ３は、前記接続コネクタ端子１ａおよびＵＳＢケーブル９を介してキーボード１１内のＵＳＢチップ１２の第１の信号ラインＤ＋および第２の信号ラインＤ−にそれぞれ接続されている。また、切換え手段４には、主電源５からの電力の供給を受けて駆動されるリレーアクチュエータ４Ｃが設けられている。そして、第１および第２のリレー接点４Ａおよび４Ｂは、切換え手段４に設けられた前記リレーアクチュエータ４Ｃによって同時に切換え駆動可能となっている。
【００２７】
主電源５には、電源スイッチ５Ａが設けられており、この電源スイッチ５Ａが人為的にオン操作されることにより、あるいはパワーオン端子５ａに所定の信号が入力されることにより、ホスト１内への電力の供給が行われる。
【００２８】
一方、サブ電源６は、バッテリーなどから構成され、ウェークアップ手段３の第１，第２の比較手段３Ａ，３ＢおよびＡＮＤ回路８に電力を供給している。また主電源５およびサブ電源６の出力は、ダイオードＤ１およびＤ２によりダイオードオア接続され、前記コネクタ端子１ａおよびＵＳＢケーブル９を介してキーボード１１内のＵＳＢチップ１２の電源入力端子Ｖｃｃに接続されている。すなわち、キーボード１１には、少なくとも主電源５又はサブ電源６のいずれか一方の電力が供給されている。なお、キーボード１１のＧＮＤ端子は、前記コネクタ端子１ａおよびＵＳＢケーブル９を介してホスト１側のグランドラインに接地されている。
【００２９】
表１は、ＵＳＢ規格におけるサスペンド時の信号ラインの状態を示している。
【表１】
0003539879.tif 000002
表１に示すように、ＵＳＢ規格上は、信号ラインの状態が第１のモードであるＬｏｗ  Ｓｐｅｅｄモード（以下、ＬＳモードという）、第２のモードであるＦｕｌｌ  Ｓｐｅｅｄモード（以下、ＦＳモードという）および第３のモードである未接続モードの３モードが設定されている。なお、ＬＳモードとは、ＵＳＢのデータ転送速度が１．５Ｍビット／Sの状態を、ＦＳモードとは１２Ｍビット／Sの状態をそれぞれ示している。また未接続モードは、ＵＳＢケーブルが接続されていない状態を示している。
【００３０】
サスペンド時においては、第１の信号ラインＤ＋，第２の信号ラインＤ−の状態は、それぞれＬＳモードではＬ（Ｈｉ−Ｚ（ハイインピーダンス状態）），Ｈであり、ＦＳモードではＨ，Ｌ（Ｈｉ−Ｚ）であり、未接続モードでは共にＬ（Ｈｉ−Ｚ），Ｌ（Ｈｉ−Ｚ）である。なお、第１の信号ラインＤ＋，第２の信号ラインＤ−が、共にＨ，Ｈの状態はＵＳＢ規格上は設定されていない。
【００３１】
以上のように構成されるコンピュータの電源立ち上げ装置の動作について説明する。
主電源５の電源スイッチ５Ａがオフ状態にある場合には、主電源５からの電力の供給が停止される。よって、ホスト１のＯＳは立ち上がらないため、ＵＳＢチップ２は停止状態にある。
【００３２】
また切換え手段４のリレーアクチュエータ４Ｃへの駆動電流の供給も行われないため、前記第１のリレー接点４Ａでは接続端子４Ａ１と接続端子４Ａ３とが接続され、第２のリレー接点４Ｂでは接続端子４Ｂ１と接続端子４Ｂ３とがそれぞれ接続された状態にある。よって、ホスト１とキーボード１１の第１および第２の信号ラインＤ＋，Ｄ−との接続が絶たれ、キーボード１１の第１および第２の信号ラインＤ＋，Ｄ−は、ウェークアップ手段３の第１の入力端子３Ａ１および３Ｂ１にそれぞれ接続されている。なお、ホスト１側の前記第１および第２の信号ラインＤ＋，Ｄ−は、ＵＳＢ規格によって所定の抵抗（１５ｋΩ）によりプルダウンされており、ホスト１とキーボード１１の第１および第２の信号ラインＤ＋，Ｄ−どうしが未接続の場合には、ホスト１側の第１および第２の信号ラインＤ＋，Ｄ−はともにＬレベルに設定される。
【００３３】
一方、ウェークアップ手段３には、サブ電源６の出力電圧Ｖが印加されている。なお、この状態では、ウェークアップ手段３に供給される電流は５００μＡ以下であり、サスペンドモード同様の低電力モード状態にある。またキーボード１１には、サブ電源６の出力電圧ＶがダイオードＤ２、コネクタ端子１ａ、ＵＳＢケーブル９およびＵＳＢチップ１２の電源入力端子Ｖｃｃを介して供給されている。
【００３４】
キーボード１１側では、キーボード１１上に設けたパワーオンキーを操作することにより、あるいはキーボード１１の複数のキーを同時に操作することにより、キーボード１１内のＵＳＢチップ１２の第１の信号ラインＤ＋および第２の信号ラインＤ−を通じてホスト１側に所定の信号が出力される。この信号は、キーボード１１側の制御手段（信号発生手段）である前記８ビット・マイクロコントローラ（図示せず）により生成され、第１の信号ラインＤ＋および第２の信号ラインＤ−共にＨ信号（Ｈ，Ｈ）からなる第４のモードであり、例えばパルス幅が５０ｍsec、パルス電圧が３ボルトである。
【００３５】
上記表１に示されるように、第１の信号ラインＤ＋および第２の信号ラインＤ−ともにＨ信号（Ｈ，Ｈ）となる第４のモードは、ＵＳＢ規格上設定されていない。またパルス幅が５０ｍsecというのは、ＵＳＢにおけるデータ転送速度がｎsec単位であることを考慮した場合、極めて長いパルス幅といえる。よって、第４のモードの信号（Ｈ，Ｈおよび５０ｍsec）をＵＳＢ規格外の信号として設定して第１の信号ラインＤ＋および第２の信号ラインＤ−に送信しても、ＵＳＢ規格上のデータ信号と容易に区別することが可能である。
【００３６】
このような第４のモード信号がキーボード１１側から送信されると、この信号はＵＳＢケーブル９、コネクタ端子１ａ，切換え手段４の第１のリレー接点４Ａ，４Ｂを介してウェークアップ手段３の第１および第２の比較手段３Ａ，３Ｂの第１の入力端子３Ａ１，３Ｂ１にそれぞれ入力される。すなわち、第１および第２の比較手段３Ａ，３Ｂの第１の入力端子３Ａ１，３Ｂ１には、前記第４のモードの信号が入力される。第１および第２の比較手段３Ａ，３Ｂでは、この第４のモードの信号と基準電圧７（１．５ボルト）との比較が行われる。そして、前記第４のモードの信号のパルス電圧が基準電圧７よりも大きな場合に限り、出力端子３Ａ３，３Ｂ３からＨ信号を出力する。すなわち、第１および第２の比較手段３Ａ，３Ｂは、コンパレータとして機能している。
【００３７】
第１および第２の比較手段３Ａ，３Ｂの出力端子３Ａ３，３Ｂ３から、同時にＨ信号が出力されると、この信号を受けたＡＮＤ回路からもパルス幅５０ｍsecのＨ信号が出力される。そして、このＨ信号が主電源５のパワーオン端子５ａに入力されることにより、主電源５の電源が立ち上った状態に設定される。
【００３８】
主電源５が立ち上がると、その電力は、ホスト１、ＵＳＢチップ２および切換え手段４のリレーアクチュエータ４Ｃなどに供給される。主電源５から前記切換え手段４のリレーアクチュエータ４Ｃに所定の駆動電流が供給されると、第１のリレー接点４Ａでは接続端子４Ａ２と接続端子４Ａ３との接続に切り換えられ、第２のリレー接点４Ｂでは接続端子４Ｂ２と接続端子４Ｂ３との接続にそれぞれ切換えられる。よって、ホスト１とキーボード１１の第１および第２の信号ラインＤ＋，Ｄ−どうしが接続されるため、ホスト１とキーボード１１との間で信号の通信が可能な状態に設定することができる。
【００３９】
またホスト１に電源が供給されることにより、ホスト１内の常駐プログラムとして存在するＯＳが起動されるため、ホスト１が立ち上り、キーボードの入力を受け付ける環境が設定される。
【００４０】
また、本発明の装置では、長時間キーボードが操作されていないときにパワーダウンさせることも可能である。
例えば、キーボードからホストへ通信がなされていないとき、キーボード１１側の制御手段（信号発生手段）である前記８ビット・マイクロコントローラからＵＳＢチップ１２を介してホスト側のＵＳＢチップ２に対し、Ｄ＋，Ｄ−が共にＨ（ハイレベル）の信号を与え続けておく。キーボードの所定のキー操作を行ったときに、前記８ビット・マイクロコントローラからＤ＋，Ｄ−が共にＬの信号を例えば２５ｍsecなどの所定時間出力させる。これがＵＳＢチップ２に与えられると、ＵＳＢチップ２はキーボードが未接続のプルダウン状態と同じになる。この状態をホスト側で検出し、主電源をＯＦＦさせればよい。
【００４１】
【発明の効果】
以上詳述した本発明によれば、ホストコンピュータの主電源が落ちているパワーオフ状態において、キーボードなどの入力装置を操作することにより、ホストコンピュータを起動させることができる。
また、ＵＳＢインタフェース上において、ＵＳＢ規格に設定されていない信号の組み合わせを利用してホストコンピュータを起動できるという付加価値を高めることができる。
【図面の簡単な説明】
【図１】本発明におけるコンピュータの電源立ち上げ装置の実施の一形態を示す構成図
【符号の説明】
１  ホストコンピュータ
２  ＵＳＢチップ
３  ウェークアップ手段
３Ａ  第１の比較手段
３Ｂ  第２の比較手段
４  切換え手段
４Ａ  第１のリレー接点
４Ｂ  第１のリレー接点
５  主電源
６  サブ電源
７  基準電圧
８  ＡＮＤ回路
９  ＵＳＢケーブル
１１  キーボード
１２  ＵＳＢチップ
Ｖ  主電源の出力電圧
Ｅ  サブ電源の出力電圧
Ｖｃｃ  電源入力端子
ＧＮＤ  グランド端子
Ｄ＋  第１の信号ライン
Ｄ−  第２の信号ライン
Ｄ１，Ｄ２  ダイオード
【図１】
0003539879.tif 000003